(57)【特許請求の範囲】
【請求項１】
撮像信号の任意の領域を指定するゲート信号を発生するゲート信号発生回路と、前記撮像信号よりビューファインダー用の輝度信号を作成する輝度信号作成回路と、前記撮像信号より前記輝度信号の高域成分を補正するための輪郭信号を作成するディテール信号作成回路と、前記ディテール信号作成回路の出力信号のゲインを前記ゲート信号に応じて制御するゲインコントロール回路と、前記ゲインコントロール回路の出力信号と前記輝度信号作成回路の出力信号とを加算する加算回路とを備え、
前記ゲインコントロール回路は、前記ゲート信号に応じて指定された任意の領域でのゲインを、それ以外の領域に比べ相対的に大きくすることを特徴とする撮像装置。
【請求項２】
撮像信号の任意の領域を指定するゲート信号を発生するゲート信号発生回路と、前記ゲート信号により前記撮像信号の任意の領域を抜き出すゲート回路と、前記撮像信号よりビューファインダー用の輝度信号を作成する輝度信号作成回路と、前記撮像信号より前記輝度信号の高域成分を補正するための輪郭信号を作成するディテール信号作成回路と、前記ディテール信号作成回路の出力信号のゲインを制御するゲインコントロール回路と、前記ゲート回路の出力信号から高域成分を検出する高域成分検出回路と、前記高域成分検出回路の出力信号の絶対値を得る絶対値回路と、前記絶対値回路の出力信号から所定の垂直走査期間毎の最大値を検出する最大値検出回路と、前記最大値検出回路の出力信号の値を取り込み、次の取り込みまでの間、保持するデータ保持回路と、前記ゲインコントロール回路の出力信号と前記輝度信号作成回路の出力信号とを加算する加算回路とを備え、
前記ゲインコントロール回路は、前記ゲート信号と前記データ保持回路の出力信号に応じてゲインを制御することを特徴とする撮像装置。
【請求項３】
撮像信号の任意の領域を指定するゲート信号を発生するゲート信号発生回路と、前記ゲート信号により前記撮像信号の任意の領域を抜き出すゲート回路と、前記撮像信号よりビューファインダー用の輝度信号を作成する輝度信号作成回路と、前記撮像信号より前記輝度信号の高域成分を補正するための輪郭信号を作成するディテール信号作成回路と、前記ディテール信号作成回路の出力信号のゲインを制御するゲインコントロール回路と、前記ゲート回路の出力信号から高域成分を検出する高域成分検出回路と、前記高域成分検出回路の出力信号の絶対値を得る絶対値回路と、前記絶対値回路の出力信号から所定の垂直走査期間毎の最大値を検出する最大値検出回路と、前記最大値検出回路の出力信号から最大値データの位置情報を検出する最大位置検出回路と、前記最大値検出回路の出力信号の最大値データと前記最大値位置検出回路の出力信号の位置情報とを取り込み、次の取り込みまでの間、保持するデータ保持回路と、前記ゲインコントロール回路の出力信号と前記輝度信号作成回路の出力信号と前記データ保持回路から出力される位置情報とを加算する加算回路とを備え、
前記ゲインコントロール回路は、前記ゲート信号と前記データ保持回路から出力される最大値データに応じてゲインを制御することを特徴とする撮像装置。
【請求項４】
ゲート信号により設定される領域を示す信号を輝度信号生成回路の出力信号に加算し、ゲート位置を表示できるようにしたことを特徴とする請求項１、２または３に記載の撮像装置。
【請求項５】
ゲインコントロール回路は、ゲート信号により指定された領域では、データ保持回路の出力信号に比例してゲインを大きくし、それ以外の領域では、前記データ保持回路の出力信号に関わらず所定のゲインとするとすることを特徴とする請求項２または３に記載の撮像装置。
【請求項６】
ゲインコントロール回路は、ゲート信号により指定された領域では、データ保持回路の出力信号に比例してゲインを大きくし、それ以外の領域では、ゲインを小さくすることを特徴とする請求項２または３に記載の撮像装置。
【発明の詳細な説明】
【０００１】
【発明の属する技術分野】
本発明は、特に放送用、業務用などの撮像装置等において、ビューファインダー（以下、ＶＦと称す）上に映し出される映像信号おフォーカスを合わせる場合に用いられるアシスト機能を有する撮像装置に関する。
【０００２】
【従来技術】
従来の撮像装置のＶＦの映像信号処理に置いては、フォーカス調整を補助するための回路としては、例えば図１０に示すような回路構成がある。
【０００３】
図１０において、１はＶＦ用輝度信号（以下、ＶＦ−Ｙと称す）作成回路、２はＶＦ−Ｙ用のエッジ（或いは、ディテール）信号（以下、ＤＴＬ信号と称す）を作成するＶＦ−Ｙ用ＤＴＬ作成回路、３はゲインコントロール回路、４は加算回路である。
【０００４】
以上のように構成された従来の撮像装置の動作について、以下説明する。
【０００５】
ＶＦ−Ｙ作成回路１では、入力される撮像信号の３原色信号Ｒ（赤色），Ｇ（緑色），Ｂ（青色）から所定比率の演算によりＶＦ用の輝度信号を作成する。ＶＦ−Ｙ用ＤＴＬ作成回路２は、同じく入力撮像信号から作成される輝度信号もしくは３原色信号のいずれかの信号から高周波成分を抽出することにより、ＤＴＬ信号、つまり入力撮像信号のエッジ（輪郭）信号を作成する。
【０００６】
このＤＴＬ信号は、ゲインコントロール回路３で所定のゲイン設定がなされ、加算回路４でＶＦ−Ｙ信号と加算される。これにより、輪郭の強調された輝度信号がＶＦ−Ｙ信号として、ＶＦ（図示せず）に出力される。ＤＴＬ信号は高周波成分なので、フォーカスが合っていればいるほど信号が大きく、故にＶＦに出力される輝度信号の先鋭感が増す。カメラマンは、この先鋭感が最も得られるようにフォーカスを調整する。
【０００７】
一方、ハンディタイプのカメラや、ＶＴＲ一体型の撮像装置の場合、ＶＦは小型のもの（例えば、１．５型や２．０型と呼ばれる対角寸法が３０mm〜６０mm程度のもの）を用いることが多く、小さいＶＦ画面でフォーカスを合わせ易くするために、ゲインコントロール回路３でＤＴＬ信号に対するゲインを比較的大きくすることで、フォーカス調整を行いやすくしている。
【０００８】
【発明が解決しようとする課題】
しかしながら、上記従来の技術においては、ＤＴＬ信号により輪郭調整され、フォーカスを合わせ易くなっているが、ＶＦが１．５型や２．０型のサイズのものは小さく、ＶＦの性能にも影響され、合わせるのに苦労する。特に、ワイド端においては、被写体像が小さくＤＴＬ信号のゲインが大きいために、ＶＦ映像全体に一応に輪郭が付き、ジャストフォーカスかどうか分かりにくい。例えば、図１１に示すように、被写体までの距離が少しずつ違う３つの被写体のまん中の被写体にフォーカスを合わせようとした場合に、特にワイド端で撮像していると、それぞれの被写体の輪郭信号がほぼ同じように付き、本来ならまん中の被写体の輪郭が最大、つまりジャストフォーカスに合わせるつもりが、画面下の一番遠い被写体でジャストフォーカスになったままフォーカス調整を終えてしまう場合があり、所望のフォーカス調整ができない。さらに、近年の撮像素子の多画素化に伴い、特に１００万画素〜２００万画素のＣＣＤ（チャージ・カップルド・デバイス）を搭載するＨＤ（ハイ・ディフィニション）クラスの撮像装置の場合、図１２に示すように、多画素化によって被写界深度が浅くなり、ジャストフォーカスポイントが狭くなる。許容錯乱円が、１画素以内にあれば、ボケが認知されない。故に画素が小さくなると許容錯乱円が小さくなり、被写界深度も浅くなる。故にジャストフォーカスポイントがずれたり、あるいは合わせるのに非常に苦労するといった問題点を有していた。
【０００９】
本発明は、上記問題点に対して、ＶＦ画面でのフォーカスを合わせ易くするためのフォーカスアシスト機能を搭載した撮像装置を提供することを目的とする。
【００１０】
【課題を解決するための手段】
この課題を解決するために本発明は、撮像信号の任意の場所をゲート信号によりゲートして、その指定された領域とそれ以外の領域でＶＦ−Ｙ用ＤＴＬ信号のゲインを変え、指定された領域のゲインがそれ以外の領域のゲインよりも大きくするように構成したものである。
【００１１】
これにより、フォーカスを合わせたい領域をゲートすることにより、その領域のＶＦ−Ｙ用ＤＴＬ信号のゲインを大きくでき、他の領域よりも目立たせることができる。
【００１２】
また、本発明は、撮像信号の任意の場所をゲート信号によりゲートして、その指定された領域のＶＦ画像の高域成分を検出し、その高域成分の絶対値をとり、その値の１垂直走査期間内の最大値を任意垂直走査期間毎に検出し、次の検出までその値を保持する。その保持された信号と、ゲート信号を用いて指定された領域とそれ以外の領域でＶＦ−Ｙ用ＤＴＬ信号のゲインを変えるように構成したものである。
【００１３】
これにより、例えば指定された領域のゲインを高域成分の最大値の保持された信号でコントロールし、他の領域は一定ゲインにすることにより、高域成分が大きければ大きいほど、つまりフォーカスが合えば合うほど、ゲートをかけた領域のＶＦ−Ｙ用ＤＴＬ信号のゲインを大きくでき、他の領域よりも目立たせることができると共に、フォーカスの合い具合を分かりやすくできる。
【００１４】
また、本発明は、撮像信号の任意の場所をゲート信号によりゲートして、その指定された領域のＶＦ画像の高域成分を検出し、その高域成分の絶対値をとり、その値の１垂直走査期間内の最大値及びその最大値に対応する位置情報を任意垂直走査期間毎に検出し、次の検出までそれらの値を保持する。その保持された最大値の信号と、ゲート信号を用いて指定された領域とそれ以外の領域でＶＦ−Ｙ用ＤＴＬ信号のゲインを変えるようにし、また保持された最大値の位置情報はマーカ信号としてＶＦ−Ｙ用ＤＴＬ信号とともに、ＶＦ−Ｙ信号に加算される構成したものである。
【００１５】
これにより、例えば指定された領域のゲインを高域成分の最大値の保持された値でコントロールし、他の領域は一定ゲインにすることにより、高域成分が大きければ大きいほど、つまりフォーカスが合えば合うほど、ゲートをかけた領域のＶＦ−Ｙ用ＤＴＬ信号のゲインを大きくでき、他の領域よりも目立たせることができると共に、フォーカスの合い具合が分かり易い。さらにマーカ信号によりゲートされた領域でのＶＦ−Ｙ用ＤＴＬ信号の最大の位置が分かり、具体的にフォーカスがどこに合っているかを知ることができる。
【００１６】
【発明の実施の形態】
本発明の第１の発明は、撮像信号の任意の領域を指定するゲート信号を発生するゲート信号発生回路と、前記撮像信号よりビューファインダー用の輝度信号を作成する輝度信号作成回路と、前記撮像信号より前記輝度信号の高域成分を補正するための輪郭信号を作成するディテール信号作成回路と、前記ディテール信号作成回路の出力信号のゲインを前記ゲート信号に応じて制御するゲインコントロール回路と、前記ゲインコントロール回路の出力信号と前記輝度信号作成回路の出力信号とを加算する加算回路とを備え、前記ゲインコントロール回路は、前記ゲート信号に応じて指定された任意の領域でのゲインを、それ以外の領域に比べ相対的に大きくするように構成したものである。
【００１７】
また、本発明の第２の発明は、撮像信号の任意の領域を指定するゲート信号を発生するゲート信号発生回路と、前記ゲート信号により前記撮像信号の任意の領域を抜き出すゲート回路と、前記撮像信号よりビューファインダー用の輝度信号を作成する輝度信号作成回路と、前記撮像信号より前記輝度信号の高域成分を補正するための輪郭信号を作成するディテール信号作成回路と、前記ディテール信号作成回路の出力信号のゲインを制御するゲインコントロール回路と、前記ゲート回路の出力信号から高域成分を検出する高域成分検出回路と、前記高域成分検出回路の出力信号の絶対値を得る絶対値回路と、前記絶対値回路の出力信号から所定の垂直走査期間毎の最大値を検出する最大値検出回路と、前記最大値検出回路の出力信号の値を取り込み、次の取り込みまでの間、保持するデータ保持回路と、前記ゲインコントロール回路の出力信号と前記輝度信号作成回路の出力信号とを加算する加算回路とを備え、前記ゲインコントロール回路は、前記ゲート信号と前記データ保持回路の出力信号に応じてゲインを制御するように構成したものである。
【００１８】
また、本発明の第３の発明は、撮像信号の任意の領域を指定するゲート信号を発生するゲート信号発生回路と、前記ゲート信号により前記撮像信号の任意の領域を抜き出すゲート回路と、前記撮像信号よりビューファインダー用の輝度信号を作成する輝度信号作成回路と、前記撮像信号より前記輝度信号の高域成分を補正するための輪郭信号を作成するディテール信号作成回路と、前記ディテール信号作成回路の出力信号のゲインを制御するゲインコントロール回路と、前記ゲート回路の出力信号から高域成分を検出する高域成分検出回路と、前記高域成分検出回路の出力信号の絶対値を得る絶対値回路と、前記絶対値回路の出力信号から所定の垂直走査期間毎の最大値を検出する最大値検出回路と、前記最大値検出回路の出力信号から最大値データの位置情報を検出する最大位置検出回路と、前記最大値検出回路の出力信号の最大値データと前記最大値位置検出回路の出力信号の位置情報とを取り込み、次の取り込みまでの間、保持するデータ保持回路と、前記ゲインコントロール回路の出力信号と前記輝度信号作成回路の出力信号と前記データ保持回路から出力される位置情報とを加算する加算回路とを備え、前記ゲインコントロール回路は、前記ゲート信号と前記データ保持回路から出力される最大値データに応じてゲインを制御するように構成したものである。
【００１９】
以下、本発明の実施の形態について、図面を用いて説明する。
【００２０】
（実施の形態１）
図１は、本発明の実施の形態１による撮像装置の構成を示すブロック図である。
【００２１】
図１において、１は入力撮像信号からＶＦ用の輝度信号を作成するＶＦ−Ｙ作成回路、２は入力画像信号の高周波成分を抽出するＶＦ−Ｙ用ＤＴＬ作成回路、３はＤＴＬ信号のゲインをコントロールするゲインコントロール回路、４は加算回路、５は撮像信号の任意の領域（画面領域）を指定するゲート信号発生回路である。
【００２２】
以上のように構成された本実施の形態による撮像装置の動作について、図２を用いて説明する。図２は、本実施の形態におけるＶＦ画面の一例を示す説明図である。
【００２３】
図１において、ＶＦ−Ｙ作成回路１は、例えば入力撮像信号のＲ（赤），Ｇ（緑），Ｂ（青）の３原色信号から所定の比率を用いた演算処理によりＶＦ用輝度信号を作成する。また、ＶＦ−Ｙ用ＤＴＬ作成回路２は、同様に入力撮像信号の任意の原色信号、または３原色信号より作成された輝度信号から高域成分を抽出する。ＶＦ−Ｙ用ＤＴＬ作成回路２の出力信号はゲインコントロール回路３に入力される。このゲインコントロール回路３では、ゲート信号発生回路５のゲート信号を受けて、例えばゲート信号により設定される領域の内と外でゲイン値の設定を変え、ゲート信号で指定されたゲート（領域）の内側のＤＴＬ信号のゲインを外側のゲインより大きくするような処理がなされる。このＤＴＬ信号とＶＦ−Ｙ作成回路１から出力される輝度信号とが加算回路４で加算され、ＤＴＬ信号で輪郭が強調された輝度信号が出力される。
【００２４】
なお、ゲート信号発生回路５から出力されるゲート信号は、画面内の任意の領域を示すものであれば如何なるものでも良く、例えば、映像信号の水平・垂直同期信号に同期したハイ・ローの２値からなる信号等にすればよい。
【００２５】
以上の処理がなされたＶＦ−Ｙ信号のＶＦ上の画面は、例えば図２に示すようになる。図２でＶＦ画面内の点線がゲート信号による領域を示すが、同じ様な四角い被写体がゲートの内と外にある場合に、ゲート信号で指定される内側の領域のＤＴＬ信号のゲインが大きいので、図２に示す様に、水平信号波形を比較するとゲート信号で指定される領域のディテールつまり輪郭がそれ以外の領域に比べ大きく付加される。垂直信号波形は、図示していないが、水平信号波形と同じ様にゲート内部が大きい輪郭信号が付加された信号波形となる。
【００２６】
以上のように本実施の形態によれば、ゲート信号で指令するＶＦ画面の任意の領域のＤＴＬ信号のゲインを、他の領域のＤＴＬ信号のゲインより大きく設定することができるので、特にフォーカスを合わせる時に重要な領域（例えば、画面中央付近）の信号のＤＴＬ信号を強調することができ、フォーカスが合っているか否かを簡単に確認することができる。
【００２７】
なお、本実施の形態では、ゲート信号による領域の大きさ、位置等は特に指定していないが、領域の大きさは、フォーカスを合わせるために目立たせる領域をどこまでとるかで自由に設定範囲を変えていいことは言うまでもない。また、領域の設定位置は、フォーカスを合わせるのに都合のよい位置であればよく、中央付近以外の部分に設定していも何らかまわない。
【００２８】
また、ゲート信号による領域の位置及び範囲を分かりやすくするために、ＶＦ−Ｙ信号に、ゲート信号や、ゲート信号の領域の枠（範囲）を示す信号などを加算するように構成してもよい。
【００２９】
（実施の形態２）
図３は、本発明の実施の形態２による撮像装置の構成を示すブロック図である。
【００３０】
図３において、１は入力撮像信号からＶＦ用の輝度信号を作成するＶＦ−Ｙ作成回路、２は入力撮像信号の高周波成分を抽出するＶＦ−Ｙ用ＤＴＬ作成回路、３はＤＴＬ信号のゲインをコントロールするゲインコントロール回路、４は加算回路、５は撮像信号の任意の領域を指定するゲート信号発生回路、６はゲート信号発生回路５の出力信号に応じて撮像信号の任意の領域を抜き出すゲート回路、７はゲート回路６で抜き出された任意の領域の高域成分を検出する高域成分検出回路、８は高域成分検出回路７の出力信号を正に変換する絶対値回路、９は絶対値回路８の出力信号が入力され、任意数の垂直走査期間毎の最大値を検出する最大値検出回路、１０は最大値検出回路９の出力信号の値を垂直ブランキング期間内に取り込み、次の取り込みまでの間、その値を保持するデータ保持回路である。
【００３１】
なお、図１に示した構成要素と同じものには、同一符号を付し、その説明は省略する。本実施の形態と図１に示した実施の形態１との相違点は、ゲート回路６、高域成分検出回路７、絶対値回路８、最大値検出回路９、データ保持回路１０が加えられている点である。
【００３２】
以上のように構成された本実施の形態２による撮像装置の動作について、図４〜図７を用いて以下説明する。図４，５は、本実施の形態による撮像装置の動作を説明するための信号波形図、図６，７は、ＶＦ画面の説明図である。
【００３３】
図４（ａ）は、矩形状の被写体像が画面の一部にある場合の信号波形を示している。この時、フォーカスを調整して、デフォーカスからジャストフォーカス、さらにデフォーカスになった場合の各映像信号、これに対する高域成分検出回路７の出力信号、絶対値回路８の出力信号および最大値検出回路９の出力信号の信号波形変化を同図（ｂ）、（ｃ）、（ｄ）、（ｅ）に示す。この場合、４フィールド毎（フィールドナンバー、Ｆ０，Ｆ４，Ｆ８，Ｆ１２，Ｆ１６）の変化を示している。
【００３４】
図４から分かるように、フィールドがＦ８の時、ジャストフォーカスの状態であり、高域成分検出回路７の出力もくっきりした輪郭信号であり、絶対値回路８の出力信号も最大になっている。最大値検出回路９は、任意フィールド数毎に検出を行うが、この例の場合、４フィールド毎に検出しており、検出するフィールドの期間での最大値を検出する。故にフィールドＦ０ではＬ１のレベル、フィールドＦ４ではＬ２、同様にしてフィールドＦ８でＬ３、Ｆ１２でＬ４、Ｆ１６でＬ５のレベルを検出し出力する。データ保持回路１０は、最大値が検出される毎にそのデータを取り込み、次の検出までそのデータを保持する。故にデータ保持回路１０の出力は、図５（ｂ）のようになる。なお、図５（ａ）は垂直同期信号を示しており、フィールドのタイミングを示す。
【００３５】
本実施の形態の場合、この信号とゲート信号発生回路５のゲート信号により、ゲインコントロール回路３は、ＶＦ−Ｙ用ＤＴＬ作成回路２から出力されるＤＴＬ信号のゲインをコントロールする。そのコントロールの仕方を、図５の信号波形図に示している。データ保持回路１０の出力信号が図５（ｂ）に示すように変化すると、ゲインコントロール回路３のゲイン値も図５（ｃ）または図５（ｄ）のように変わる。図５（ｃ），（ｄ）において、実線がゲート内部ゲイン値、破線がゲート部以外のゲイン値、点線が通常のゲイン値を示している。つまり、ゲート内部はデータ保持回路１０の出力信号に比例したゲイン設定とし、それ以外の部分は通常ゲインもしくはデータ保持回路１０の出力信号に反比例するゲイン設定がなされる。
【００３６】
ゲインコントロール回路３において、図５（ｃ）に示すようにゲイン設定をした場合のＶＦ画面の変化の様子を示したものが図６である。同じ様な被写体に対して、水平信号波形で示されるようにゲート内部（点線で囲まれる領域）とゲート外部のＤＴＬ信号の付き方の違いを示しているが、ゲート内部は、データ保持回路１０の出力信号Ｄ１，Ｄ２，・・・の変化に応じてＤＴＬ信号のゲインが変わり、ゲート外部は通常ゲイン値設定のままで一定である。図６から分かるように、データ保持回路１０の出力信号が大きくなればなるほど、ゲート内部のＤＴＬ信号も大きくなり、データ保持回路１０の出力信号がＤ３の時、つまりゲート内部の高域成分の最大となるジャストフォーカスの時にゲート内部とそれ以外の領域のＤＴＬ信号のゲインの差が最大となり、ゲート内部の信号のフォーカスを合わせるのに非常に分かりやすい。
【００３７】
同様に図５（ｄ）のようにゲイン設定をした場合のＶＦ画面の変化の様子を示したものが図７である。この場合、ゲート部以外のゲインが、データ保持回路１０の出力信号に反比例するゲイン設定がされるため、データ保持回路１０の出力信号がＤ１，Ｄ２，・・・と徐々に大きくなるにしたがって、ゲート部とそれ以外のＤＴＬ信号のレベル差が徐々に大きくなり、Ｄ３の最大の時は図６に比べ、さらに大きなレベル差となり、ゲート内部の信号が相対的に強調される。
【００３８】
以上のように本実施の形態によれば、実施の形態１と同様にゲートされた領域の信号を強調することができると共に、ゲート内部の信号の高域成分が大きければ大きいほど、つまりフォーカスが合えば合うほど、ゲート部以外に対してゲート内部の信号のＤＴＬ信号を相対的に目立たせることができ、ジャストフォーカスのポイントが分かりやすい。
【００３９】
なお、実施の形態１と同様に、ゲート信号による領域の大きさ、位置等は特に指定していないが、領域の大きさは、フォーカスを合わせるために目立たせる領域をどこまでとるかで自由に設定範囲を変えていいことは言うまでもない。また、領域の設定位置は、フォーカスを合わせるのに都合のよい位置であればよく、中央付近以外の部分に設定していも何らかまわない。
【００４０】
また、ゲート信号による領域の位置及び範囲を分かりやすくするために、ＶＦ−Ｙ信号に、ゲート信号や、ゲート信号の領域の枠（範囲）を示す信号などを加算するように構成してもよい。
【００４１】
（実施の形態３）
図８は、本発明の実施の形態３における撮像装置の構成を示すブロック図である。
【００４２】
図８において、１は入力撮像信号からＶＦ用の輝度信号を作成するＶＦ−Ｙ作成回路、２は入力撮像信号の高周波成分を抽出するＶＦ−Ｙ用ＤＴＬ作成回路、３はＤＴＬ信号のゲインをコントロールするゲインコントロール回路、４は加算回路、５は撮像信号の任意の領域を指定するゲート信号発生回路、６はゲート信号発生回路５の出力信号に応じて撮像信号の任意の領域を抜き出すゲート回路、７はゲート回路６で抜き出された任意の領域の高域成分を検出する高域成分検出回路、８は高域成分検出回路７の出力信号を正に変換する絶対値回路、９は絶対値回路８の出力信号が入力され、任意数の垂直走査期間毎の最大値を検出する最大値検出回路、１１は最大値検出回路９の出力信号により、最大値のデータ位置情報を検出する最大値位置検出回路、１２は最大値検出回路９の出力信号の値および最大値位置検出回路１１の出力信号の値を垂直ブランキング期間内に取り込み、次の取り込みまでの間、その値を保持し、最大値データをゲインコントロール回路３へ、最大値位置をマーカ信号として加算回路４へ出力するデータ保持回路である。
【００４３】
なお、図１に示した構成要素と同じものには、同一符号を付し、その説明は省略する。本実施の形態と図３に示した実施の形態２との相違点は、最大値位置検出回路１１が付加され、データ保持回路１２に最大値検出回路９および最大値位置検出回路１１の出力信号が入力されている点である。
【００４４】
以上のように構成された本実施の形態による撮像装置の動作について、以下説明する。
【００４５】
また、図９は本実施の形態でのＶＦ画面の表示例を示す概略図である。
【００４６】
図８において、最大値位置検出回路１１は、最大値検出回路９より入力される最大値データに基づき、最大値が出力された時点での位置情報を検出する。最大値検出回路９は、任意数の垂直走査期間毎の最大値を検出するが、最大値を検出する垂直走査期間内に各走査単位でのＤＴＬ信号の絶対値データを比較していき、最大値のデータを更新し、その度に最大値位置検出回路１１へ、そのデータを出力する。最大値位置検出回路１１は、そのデータが入力される毎に、その時点の水平、垂直の走査位置（画面上の位置）を検出し更新していく。その最大値を検出する垂直走査期間終了後の垂直ブランキング期間に最終更新された最大値データと、その位置データがデータ保持回路１２へ出力され、データ保持回路１２は次の検出垂直走査期間の終了する垂直ブランキング期間まで、それぞれのデータを保持する。保持された最大値データは、ゲインコントロール回路３へ出力され、さらに最大値位置データは、検知しやすいマーカ信号に変換され加算回路４へ出力される。
【００４７】
ゲインコントロール回路３では、実施の形態２と同様の処理がなされ、ゲート内部の信号のフォーカスが合えば合うほど、ＤＴＬ信号のゲインが他の領域よりも、大になり強調が目立つ。加算回路４では、このＤＴＬ信号とＶＦ−Ｙ作成回路１より出力される輝度信号が加算されると同時に、ゲート内部にはデータ保持回路１２より出力されるマーカ信号も加算され、輪郭強調された輝度信号が得られる。
【００４８】
加算回路４でマーカ信号の加算された後の様子を図９に示しているが、マーカ信号は、ＤＴＬ信号の最大値の位置を示しているので、例えば図９に示しているように、３人の被写体の１番前の人にフォーカスを合わせようとする場合、フォーカスを微調し、マーカが１番前の人の位置に動くように調整することで、簡単に意図した位置にフォーカスを合わせることができる。
【００４９】
以上のように本実施の形態によれば、実施の形態２と同様にゲート内部の信号の高域成分が大きければ大きいほど、つまりフォーカスが合えば合うほど、ゲート部以外に対してゲート内部の信号のＤＴＬ信号を相対的に目立たせることができ、ジャストフォーカスのポイントが分かりやすい。さらに加えて、ＤＴＬ信号の最大値の位置を示すマーカ信号により、ゲート内部の中でどの位置にフォーカスが合っているかを確認することができ、フォーカス調整上非常に都合が良い。
【００５０】
なお、本実施の形態も、実施の形態１，２と同様に、ゲート信号による領域の大きさ、位置等は特に指定していないが、領域の大きさは、フォーカスを合わせるために目立たせる領域をどこまでとるかで自由に設定範囲を変えていいことは言うまでもない。また、領域の設定位置は、フォーカスを合わせるのに都合のよい位置であればよく、中央付近以外の部分に設定していも何らかまわない。
【００５１】
また、ゲート信号による領域の位置及び範囲を分かりやすくするために、ＶＦ−Ｙ信号に、ゲート信号や、ゲート信号の領域の枠（範囲）を示す信号などを加算するように構成してもよい。
【００５２】
また、マーカ信号は、ＯＮ／ＯＦＦできるようにしてもいいことは言うまでもない、また、図９に示す十字のクロス信号等でマークするのでなく、ＤＴＬ信号の最大値位置の周辺で輝度信号がフリッカするような表示の仕方など、種々の変形が可能なことは言うまでもない。
【００５３】
また、実施の形態２，３において、高域成分検出回路７は、基本的にはＶＦ−Ｙ用ＤＴＬ作成回路２と同様な回路で実現でき、２つの回路を共用することは可能である。故に、ＶＦ−Ｙ用ＤＴＬ作成回路２の出力信号をゲート回路６でゲートした信号を高域成分検出回路７の出力信号としていいことは言うまでもない。
【００５４】
【発明の効果】
以上のように本発明によれば、ゲート信号で指定するＶＦ画面の任意の領域のＤＴＬ信号のゲインを、他の領域のＤＴＬ信号のゲインより大きく設定することができるので、特にフォーカスを合わせる時に重要な領域、例えば中央付近の信号のＤＴＬ信号を強調することができ、フォーカス調整が行いやすい。
【００５５】
また、本発明によれば、ゲートされた領域の信号を強調することができるのに加え、ゲート内部の信号の高域成分が大きければ大きいほど、つまりフォーカスが合えば合うほど、ゲート部以外に対してゲート内部の信号のＤＴＬ信号を相対的に目立たせることができ、さらにフォーカス調整が行いやすい。
【００５６】
また、本発明によれば、ゲート内部の信号の高域成分が大きければ大きいほど、つまりフォーカスが合えば合うほど、ゲート部以外に対してゲート内部の信号のＤＴＬ信号を相対的に目立たせることができ、さらに加えた、ＤＴＬ信号の最大値の位置を示すマーカ信号により、ゲート内部の中でどの位置にフォーカスが合っているかを確認することができ、フォーカス調整上非常に都合が良く、確実にジャストフォーカスのポイントに調整できる。
【００５７】
以上のように、本発明によれば、フォーカス調整をアシストする撮像装置を種々の方法で提供することができる。
【図面の簡単な説明】
【図１】本発明の実施の形態１による撮像装置の構成を示すブロック図
【図２】同撮像装置にけるＶＦ画面の一例を示す説明図
【図３】本発明の実施の形態２による撮像装置の構成を示すブロック図
【図４】同撮像装置の動作を説明するための信号波形図
【図５】同撮像装置の動作を説明するための信号波形図
【図６】同撮像装置にけるＶＦ画面の一例を示す説明図
【図７】同撮像装置にけるＶＦ画面の一例を示す説明図
【図８】本発明の実施の形態３による撮像装置の構成を示すブロック図
【図９】同撮像装置にけるＶＦ画面の一例を示す説明図
【図１０】従来の撮像装置のＶＦ部構成を示すブロック図
【図１１】従来の撮像装置におけるＶＦ画面の一例を示す説明図
【図１２】レンズの被写界深度の説明図
【符号の説明】
１  ＶＦ−Ｙ作成回路
２  ＶＦ−Ｙ用ＤＴＬ作成回路
３  ゲインコントロール回路
４  加算回路
５  ゲート信号発生回路
６  ゲート回路
７  高域成分検出回路
８  絶対値回路
９  最大値検出回路
１０、１２  データ保持回路
１１  最大値位置検出回路
【図１】
0003642262.tif 000002
【図２】
0003642262.tif 000003
【図３】
0003642262.tif 000004
【図４】
0003642262.tif 000005
【図５】
0003642262.tif 000006
【図６】
0003642262.tif 000007
【図７】
0003642262.tif 000008
【図８】
0003642262.tif 000009
【図９】
0003642262.tif 000010
【図１０】
0003642262.tif 000011
【図１１】
0003642262.tif 000012
【図１２】
0003642262.tif 000013